(57)【要約】【課題】  遊技場の複数の島に複数のメダルを用いた遊技機を列設した遊技機において、遊技機で使用するメダルを研磨する研磨機を備えた島を複数の島に一つの割合で少なくでき、しかも島間のメダルの移送を一本のコンベヤラインで行えて、コンベヤの台数・研磨機の台数及びその他付属の機器を少なくでき、設備コストを安くできる。【解決手段】  各島にメダルの移動とメダルの一時貯留を制御する島ユニットを設け、この島ユニットとして研磨機１３を備えた研磨機付島ユニットＵＫと，研磨機１３がない中間島ユニットＵＭと，端末島ユニットＵＥの三種の島ユニットを配置し、これら島ユニット間を一本のメダルの正逆送りが可能なラインシュート１５で連絡して、メダルの正逆送りを可能とする。更に、各島ユニットには送られるメダルを取り込む取り込み器５及び島で使用されたメダルをラインシュート１５へ送り出す第１メダルリフト６を有する。【選択図】図１６
2019037314.tif 000002
【特許請求の範囲】
【請求項１】
メダルを使用する遊技機を複数台列設した島を、複数配置した遊技場におけるメダルの研磨移送設備であって、
各島にはメダルの移動を制御する島ユニットを設け、同島ユニットの上方位置間には正逆送りで両方向にメダルを移送できる一本のラインコンベヤを設けて島ユニット間でメダル移送可能とし、
前記島ユニットは、島に属する遊技機へ供給するメダルを貯える島ホッパーと，同島ホッパーの下部に設けられて島ホッパーに貯えられたメダルを払出す払出器と，同払出器から払い出されたメダルをその島の複数の遊技機へ送り出す供給コンベヤと，遊技機で使用されたメダルを島ユニットまで回収する回収コンベヤと，メダル投入口を下部に有して上方へメダルを連続して持ち上げて前記ラインコンベヤ上に移載できる第１メダルリフトと，前記島ユニット内にある前記ラインコンベヤの途中でラインコンベヤで送られてくるメダルから所定量のメダルを取り込んで前記島ホッパーへ送ること又は取り込まずそのままメダルを通過させることが切換的に行える取り込み器とを設け、
更に、複数ある島ユニットの少なくとも一台には前記島ホッパーより容量が大きいメダルのラインホッパーと，同ラインホッパーから吐出されるメダルを研磨する研磨機と，同研磨機で研磨されたメダルを前記第１メダルリフトの下部に設けたメダル投入口の投入メダル受けホッパーへ送り出す排出シュートと，前記回収コンベヤから吐出される使用済みメダルを持ち上げて前記ラインホッパーへ送り込む第２メダルリフトと，更に前記ラインコンベヤで他の島ユニットから送られてくるメダルを前記第１メダルリフトから吐出されるメダルのラインコンベヤへメダル移載する位置よりそのメダル送りの下流側となる位置で送られるメダルを全量ラインホッパーに直接送り込むラインシュートとを備えた構造とした研磨機付島ユニットとし、残りの島ユニットでは回収コンベヤから吐出される使用済みメダルを直接前記第１メダルリフトの下部の投入口へ移す構造とするとともに、更に残りの島ユニットでラインコンベヤの終端を有する端末の島ユニットではラインコンベヤの終端に送られてくるメダルの全量をその島ユニットの島ホッパーへ送るようにし、
前記ラインコンベヤ，供給コンベヤ，回収コンベヤ，払出器，取り込み器，第１メダルリフト，第２メダルリフト，研磨機の作動停止及び移動方向を制御する電気制御部とを有し、
各島ユニットで使用済みメダルを一本のラインコンベヤで研磨機付島ユニットへ移動させて研磨した後メダルを他の島ユニットへ送って各島ユニットの使用するメダルが研磨したものを使用できることを特徴とする、遊技場におけるメダルの研磨移送設備。
【請求項２】
研磨機付島ユニットがラインコンベヤの終端となる島に設けられ、前記ラインシュートはラインコンベヤの終端から落下するメダルを受けてラインホッパーへ誘導して投入するシュート管である、請求項１記載の遊技場におけるメダルの研磨移送設備。
【請求項３】
研磨機付島ユニットが複数ある島の中間の島に設けられ、研磨機付島ユニットの前記ラインシュートは正逆両方向送れるラインコンベヤの島ユニット内部の最外側となる２個所の位置に設けるとともに、前記ラインシュートはラインコンベヤ上のメダルをそのまま通過させることも取り込んでラインホッパーへ移動させることにも切換えられる構造のものである、請求項１記載の遊技場におけるメダルの研磨移送設備。
【請求項４】
島ユニットにある第１メダルリフトの上方からラインコンベヤへメダルを吐出する上方吐出口の下方に別の下方吐出口を設け、同下方吐出口からのメダルを島ホッパーへ誘導する誘導路を設け、ラインコンベヤがメダルで詰って閉鎖状態又はラインコンベヤの送り停止時には第１メダルリフトのメダルを島ホッパーへ吐出してメダルが島で循環して遊技が続行できるようにした、請求項１〜３いずれか記載の遊技場におけるメダルの研磨移送設備。
【請求項５】
島ユニットにある第１メダルリフトが垂直な無端ベルトにメダル受けを所定間隔離して多数個設けた構造であり、前記無端ベルトを駆動するラチェットホイール逆転防止付の駆動軸をモータで駆動する構造である、請求項１〜４いずれか記載の遊技場におけるメダルの研磨移送設備。
【請求項６】
前記第１メダルリフトの投入口に設けられた投入口へ移動させるメダルを一時貯える投入メダル受けホッパーに貯ったメダル量が所定量となったことを検知する投入メダルセンサーを設け、前記電気制御部で同投入メダルセンサーの所定量検知信号で第１メダルリフトを作動可能とするように制御する、請求項１〜５いずれか記載の遊技場におけるメダルの研磨移送設備。
【発明の詳細な説明】
【技術分野】
【０００１】
本発明は、パチンコ機，スロットル機等のメダル又はコイン（単にメダルと総称する）を使用した遊技機を一つの島に複数台列設し、同島を複数配置した遊技場において島の一つにメダル研磨機を備えた島ユニットを設け、他の島で使用するメダルをこの研磨機のある特定の島ユニットの研磨機を使用して研磨できるようにする技術に関する。
【背景技術】
【０００２】
従来の遊技場では、メダルを遊技機で繰り返し使用するとメダルの表面に汗・塵・汚れ・タバコ成分・粉が付着して汚れてくる。そして、汚れると、遊技機の使用中に研磨洗滌することがなされている。
【０００３】
この従来の研磨方法として、図１９〜２６に示すように島の遊技機で使用したメダルを遊技場の一個所の島ユニットに設けた又はホール１個所に設けた集中メダル洗滌研磨装置に回収用ラインコンベヤで送って回収して研磨した後、研磨後のメダルを供給用ラインコンベヤでもって各島へ供給する技術が知られている。これは特許文献１において知られている。
しかし、この研磨設備では遊技場の多量のメダルを研磨し、又メダル回収とメダル供給のラインコンベヤが長くなるとともに二本のラインコンベヤとその駆動部及び各島ユニットにラインホッパーと第２メダルリフトの装置を必要としていて設備コストが嵩むとともに、研磨時間及び回収・供給の搬送時間が長くなり、研磨回数が少なくなるという問題点があった。更に、集中メダル洗滌研磨装置の故障又は長い回収ラインコンベヤ，供給ラインコンベヤの搬送故障、又は供給ラインコンベヤの途中に設ける島へのメダル取り込み器の故障があると、遊技場全体のメダル研磨の停止又はメダルの搬送停止して、遊技の続行に悪い影響を与えるという問題点があった。
【０００４】
図１９〜２６に示す図面は、従来の遊技場のメダル研磨設備の構造と動作を示すものである。３つの島を一組としてその一つの島ユニット（研磨機付島ユニットＪＵＫ）にメダルの研磨機１３を備え、残り島ユニット（中間島ユニットＪＵＭ，端末島ユニットＪＵＥ）には研磨機１３はないが、ラインホッパー１２と第２メダルリフト１０とを設けている。島ユニット間のメダル移送は二つのラインコンベヤＪＬ１，ＪＬ２によって行っている。尚、図１９〜２６中の装置・機の符号は実施例のものと同一機能の場合、共通の符号を与えている。図１９〜２６中のＨＳは島Ｓの供給コンベヤ３で送られるメダルを遊技機Ｐ又は貸機のメダルホッパーＭＨへ送り出す補給シュートである。
図２４，２６は島ユニットＪＵＭ，ＪＵＥからのメダルを従来のラインコンベヤＪＬ１にて島ユニットＪＵＫのラインホッパー１２へ回収しているメダル移送状態を示す説明図である。図２５は島ユニットＪＵＫの研磨機１３で研磨されたメダルを他の島ユニットＪＵＭ，ＪＵＥへ供給（補給）するメダル移送を示す説明図である。ＪＬ１は供給（補給）用ラインコンベヤ、ＪＬ２は回収用ラインコンベヤである。
【０００５】
更に、各島毎に研磨機を設け、島を循環するメダルを途中で研磨させる技術もある。この例は、特許文献２において知られている。
【０００６】
しかし、この研磨技術では島毎に研磨機を設ける必要があるため、設備コストが割高となるという問題点があった。
【０００７】
メダル研磨機としては、メダルを回転ブラシ又はロールブラシで研磨するものが周知であり、特許文献３，４に構造例が開示されている。
【先行技術文献】
【特許文献】
【０００８】
【特許文献１】特許第６０９８９１０号公報
【特許文献２】特開２００１−１１８１１０号公報
【特許文献３】特開２０１７−５８９６８号公報
【特許文献４】特開２０１７−５５９９１号公報
【発明の概要】
【発明が解決しようとする課題】
【０００９】
島に設ける研磨機の台数を島毎に設ける設備に比べ数分の１に出来、しかも島間のメダル搬送ライン数を少なくして設備費を安価にしてメダル研磨を行える遊技場におけるメダルの研磨移送設備を提供する。更に、島間のメダル移送ラインコンベヤが停止又は故障しても遊技機の使用を可能にする。
【課題を解決するための手段】
【００１０】
かかる課題を解決した本発明の構成は、
１）  メダルを使用する遊技機を複数台列設した島を、複数配置した遊技場におけるメダルの研磨移送設備であって、
各島にはメダルの移動を制御する島ユニットを設け、同島ユニットの上方位置間には正逆送りで両方向にメダルを移送できる一本のラインコンベヤを設けて島ユニット間でメダル移送可能とし、
前記島ユニットは、島に属する遊技機へ供給するメダルを貯える島ホッパーと，同島ホッパーの下部に設けられて島ホッパーに貯えられたメダルを払出す払出器と，同払出器から払い出されたメダルをその島の複数の遊技機へ送り出す供給コンベヤと，遊技機で使用されたメダルを島ユニットまで回収する回収コンベヤと，メダル投入口を下部に有して上方へメダルを連続して持ち上げて前記ラインコンベヤ上に移載できる第１メダルリフトと，前記島ユニット内にある前記ラインコンベヤの途中でラインコンベヤで送られてくるメダルから所定量のメダルを取り込んで前記島ホッパーへ送ること又は取り込まずそのままメダルを通過させることが切換的に行える取り込み器とを設け、
更に、複数ある島ユニットの少なくとも一台には前記島ホッパーより容量が大きいメダルのラインホッパーと，同ラインホッパーから吐出されるメダルを研磨する研磨機と，同研磨機で研磨されたメダルを前記第１メダルリフトの下部に設けたメダル投入口の投入メダル受けホッパーへ送り出す排出シュートと，前記回収コンベヤから吐出される使用済みメダルを持ち上げて前記ラインホッパーへ送り込む第２メダルリフトと，更に前記ラインコンベヤで他の島ユニットから送られてくるメダルを前記第１メダルリフトから吐出されるメダルのラインコンベヤへメダル移載する位置よりそのメダル送りの下流側となる位置で送られるメダルを全量ラインホッパーに直接送り込むラインシュートとを備えた構造とした研磨機付島ユニットとし、残りの島ユニットでは回収コンベヤから吐出される使用済みメダルを直接前記第１メダルリフトの下部の投入口へ移す構造とするとともに、更に残りの島ユニットでラインコンベヤの終端を有する端末の島ユニットではラインコンベヤの終端に送られてくるメダルの全量をその島ユニットの島ホッパーへ送るようにし、
前記ラインコンベヤ，供給コンベヤ，回収コンベヤ，払出器，取り込み器，第１メダルリフト，第２メダルリフト，研磨機の作動停止及び移動方向を制御する電気制御部とを有し、
各島ユニットで使用済みメダルを一本のラインコンベヤで研磨機付島ユニットへ移動させて研磨した後メダルを他の島ユニットへ送って各島ユニットの使用するメダルが研磨したものを使用できることを特徴とする、遊技場におけるメダルの研磨移送設備
２）  研磨機付島ユニットがラインコンベヤの終端となる島に設けられ、前記ラインシュートはラインコンベヤの終端から落下するメダルを受けてラインホッパーへ誘導して投入するシュート管である、前記１）記載の遊技場におけるメダルの研磨移送設備
３）  研磨機付島ユニットが複数ある島の中間の島に設けられ、研磨機付島ユニットの前記ラインシュートは正逆両方向送れるラインコンベヤの島ユニット内部の最外側となる２個所の位置に設けるとともに、前記ラインシュートはラインコンベヤ上のメダルをそのまま通過させることも取り込んでラインホッパーへ移動させることにも切換えられる構造のものである、前記１）記載の遊技場におけるメダルの研磨移送設備
４）  島ユニットにある第１メダルリフトの上方からラインコンベヤへメダルを吐出する上方吐出口の下方に別の下方吐出口を設け、同下方吐出口からのメダルを島ホッパーへ誘導する誘導路を設け、ラインコンベヤがメダルで詰って閉鎖状態又はラインコンベヤの送り停止時には第１メダルリフトのメダルを島ホッパーへ吐出してメダルが島で循環して遊技が続行できるようにした、前記１）〜３）いずれか記載の遊技場におけるメダルの研磨移送設備
５）  島ユニットにある第１メダルリフトが垂直な無端ベルトにメダル受けを所定間隔離して多数個設けた構造であり、前記無端ベルトを駆動するラチェットホイール逆転防止付の駆動軸をモータで駆動する構造である、前記１）〜４）いずれか記載の遊技場におけるメダルの研磨移送設備
６）  前記第１メダルリフトの投入口に設けられた投入口へ移動させるメダルを一時貯える投入メダル受けホッパーに貯ったメダル量が所定量となったことを検知する投入メダルセンサーを設け、前記電気制御部で同投入メダルセンサーの所定量検知信号で第１メダルリフトを作動可能とするように制御する、前記１）〜５）いずれか記載の遊技場におけるメダルの研磨移送設備
にある。
【発明の効果】
【００１１】
本発明では、島毎に設けられる島ユニットはラインコンベヤを停止状態又は目詰りで搬送できない状態では、各島の島ユニットの島ホッパー内のメダルは図１５に示すように島ホッパー，供給コンベヤ，遊技機，回収コンベヤ，第１メダルリフト，島ホッパーと循環されている。研磨機付島ユニットでは、回収コンベヤから吐出されるメダルは第２メダルリフトを介してラインホッパー，研磨機を経て第１メダルリフトを介して島ホッパーに戻されて循環してメダルを研磨できている。
【００１２】
次に、各島のメダルを研磨する場合は図１６の如く、ラインコンベヤを研磨機付島ユニットの方向に動かす。この場合、島ユニットにある取り込み器はメダル通過状態であり、送られてくる使用済みメダルは研磨機付島ユニットの全量取り込み状態のラインシュートからラインホッパーへ集められ、研磨機付島ユニットでラインホッパー内のメダルは循環され研磨される。
その後、図１７の如くラインコンベヤを逆転し、端末の島ユニットの方向へ動かすと、研磨機付島ユニットで循環していたメダルは第１メダルリフトの上方吐出口からラインコンベヤへ送られていく。この場合、各島ユニットの取り込み器は所定量のメダルをその島の島ホッパーへ取り込むようにする。これによって、各島には研磨済みメダルが使用できるようになる。
【００１３】
このように、ラインコンベヤで連絡された島ユニットの数台に一台の研磨機を設ければ、複数の島で使用するメダルを研磨できる。しかも、島間のメダル移動を一本の正逆送りできる長尺のラインコンベヤで行うので、往路と復路の二本のコンベヤ及びコンベヤ路・モータ等の機器の数を減らし、設置空間を小さな容積・設置面積で済み、遊技場空間に安価で且つ容易に設置できるものとなる。
【図面の簡単な説明】
【００１４】
【図１】図１は本発明の実施例１の島の遊技機と島ユニットとラインコンベヤとの配置状態を示す説明図である。
【図２】図２は実施例１の研磨機付島ユニットの内部構造を示す斜視図である。
【図３】図３は実施例１の中間の島ユニットの内部構造を示す斜視図である。
【図４】図４は実施例１の中間の島ユニットの内部の上部構造を示す斜視図である。
【図５】図５は実施例１の端末の島ユニットの内部構造を示す斜視図である。
【図６】図６は実施例１のラインコンベヤの途中の島ユニットの取り込み器のメダルを取り込まないで通過している状態を示す説明図である。
【図７】図７は実施例１のラインコンベヤの途中の島ユニットの取り込み器によるメダルを取り込んでいる状態を示す説明図である。
【図８】図８は実施例１の第１メダルリフトの上方吐出口のメダル詰まりの状態におけるメダルの下方吐出口からの移送を示す説明図である。
【図９】図９は実施例１のラインホッパーと内部構造を省略した研磨機を示す説明図である。
【図１０】図１０は実施例１の中間島ユニットＵＭと端末島ユニットＵＥの第１メダルリフトの下部の構造を示す一部切欠斜視図である。
【図１１】図１１（ａ），（ｂ）は実施例１の第１メダルリフトの無端ベルトの下方ベルト車を回動させる駆動車のラチェット機構を示す説明図である。
【図１２】図１２は実施例１の第１メダルリフトの構造を示す説明図である。
【図１３】図１３は（ａ），（ｂ）は実施例１の第１メダルリフトの吐出の状態例を示す説明図である。
【図１４】図１４（ａ），（ｂ）は実施例１の投入メダル受けホッパーと投入メダルセンサーのメダル量が低位と所定量の高位となっている状態を示す説明図である。
【図１５】図１５は実施例１のメダル詰まり時のラインコンベヤ停止時の各島ユニットにおけるメダルの循環送りを示す説明図である。
【図１６】図１６は実施例１の使用済みメダルのラインホッパーへの回収の送りを示す説明図である。
【図１７】図１７は実施例１の研磨済みメダルの他の島ユニットへの送りを示す説明図である。
【図１８】図１８（ａ），（ｂ）は本発明の別の実施例２，３の島ユニットの配置例を示す説明図である。
【図１９】図１９は２本のラインコンベヤによって島間の研磨のためのメダル移動をさせる従来のメダルの研磨移送設備の島ユニットと２本のラインコンベヤの配置を示す説明図である。
【図２０】図２０は図１９に示す従来のメダル研磨移送設備の島におけるメダルの供給コンベヤから各遊技機と各メダル貸機への補給経路を示す説明図である。
【図２１】図２１は図１９に示す従来のメダル研磨移送設備における研磨機を備えた研磨機付島ユニットの内部構造を示す説明図である。
【図２２】図２２は図１９に示す従来のメダル研磨移送設備における中間島ユニットの内部構造を示す説明図である。
【図２３】図２３は図１９に示す従来のメダル研磨移送設備における端末島ユニットの内部構造を示す説明図である。
【図２４】図２４は図１９に示す従来のメダル研磨移送設備におけるメダル研磨の為のメダル回収の状態を示すメダルの移動方向を示す説明図である。
【図２５】図２５は図１９に示す従来のメダル研磨移送設備における研磨したメダルの各島ユニットへの補給状態を示す説明図である。
【図２６】図２６は図１９に示す従来のメダル研磨移送設備における研磨の為のメダルの研磨機付島ユニットへの移動を示す説明図である。
【発明を実施するための形態】
【００１５】
本発明の研磨機は回転ブラシ，ロールブラシによって研磨するタイプ又は研磨布を擦るタイプ又は洗滌液・水・薬剤を用いて清掃・研磨して乾燥させるタイプいずれでも可能であり、汚れ具合と研磨処理能力に応じて適切なものも採用する。
【００１６】
研磨機で研磨する時間帯・研磨時間は、メダルの島ユニット内での所定の循環回数に応じて、又は研磨時刻を設定して研磨作業へ開始してもよい。
【００１７】
又、本設備に用いる機器の作動を制御する電気制御部は、各種スイッチ，センサー，時計（クロック），タイマーを用いたリレー回路，シーケンシャル回路でもよいし、小型コンピュータを用いたものでも、あるいは電子回路を用いたものでもよく、使い易いものを採用すればよい。
【００１８】
又、ラインコンベヤはケーシングで密閉され、各島ユニットのユニットケーシングの上部を貫通するように、又は島ユニットの上面又は背面に付設されることが多い。
【実施例】
【００１９】
図１〜１７に示す実施例１（Ｇ１）は３列の島を並設し、島ユニットは各島の同じ側の端に設けられ、左側の島に研磨機付島ユニットを配置し、中間の島に中間島ユニットを，右端の端末に島ユニット（端末島ユニット）を配置し、一本の正逆送り可能なラインコンベヤにメダルの島間移動を可能にした例である。図１８（ａ）に示す実施例２は４つの島での使用例で、左から研磨機付島ユニットと、２台の中間島ユニットと、右端に端末島ユニットを配置した例である。
そして、図１８（ｂ）の実施例は、５つの島で各島には左側から端末島ユニット，中間島ユニット，研磨機付島ユニット，中間島ユニット，端末島ユニットを配置し、研磨機付島ユニットを左側，右側に分けて左右交代的に使用済みメダルの回収と研磨と研磨済みメダルの供給を行う例である。研磨機付島ユニット内のラインシュートは内部のラインコンベヤの最右・最左側にそれぞれ設け、しかもラインコンベヤ上のメダルを通過させることも、又ラインコンベヤで送られるメダルを全量取り込んでラインホッパーへ送ることも電動的切換制御で行える構造を有していて、この図１８（ｂ）の実施例３のラインシュートは実施例１の取り込み器と同じ構造としている。
【００２０】
（実施例１の図面の符号の説明）
Ｇ１は実施例１の遊技場におけるメダルの研磨移送設備、Ｓは遊技場ＰＨの島、Ｐは遊技機、ＣＯＮは研磨移送設備Ｇ１の電気制御部である。又、ＵＫは研磨機付島ユニット、ＵＥはラインコンベヤ１の終端を内部に有する端末島ユニット、ＵＭは前記研磨機付島ユニットＵＫと前記端末島ユニットＵＥとの間に配置される中間島ユニットである。
【００２１】
図１〜１７に示す実施例１の構造を示すもので、図２に研磨機付島ユニットＵＫの内部構造とその駆動機構とコインの貯り具合とを説明している。図３，４に中間島ユニットＵＭの内部構造と配置例を示している。図５に端末島ユニットＵＥの内部構造を示している。各島Ｓの供給コンベヤ３及び回収コンベヤ４は細長のケーシングに収納され、その端にコンベヤを作動する駆動モータを用いた駆動部３ａ，４ａを有している。又、図８，１０，１１，１２，１３，１４に示す第１メダルリフト６及び第２メダルリフト１０も略同じような構造を有し、下方でその無端垂直コンベヤ６ｂを回動する回動軸６ｇに逆転防止のラチェット６ｈとつめ６ｉが取付けられた回動軸６ｇを駆動モータ６ｋで回動する構造である。ラインコンベヤ１も図８，１６，１７に示すようにその終端にあるベルトリターン車の回動軸１ｂを駆動モータ１ａで回動させている。取り込み器５の構造は、図６，７の構造でメダルを必要個数島ホッパー２へ取り込めるようになっている。
【００２２】
更に、図中、１は複数の島Ｓの上部に架設した正逆両方向送り可能なラインコンベヤであって、外側はケーシング１ｄで封止されている。１ａは同ラインコンベヤ１の駆動モータ、１ｂはラインコンベヤ１のリターンローラの回動軸、１ｃは駆動モータ１ａの駆動力を伝達するチェーン、１ｄはラインコンベヤのケーシングである。２は島ユニットＵＫ・ＵＭ・ＵＥ内に設けた島ホッパー、２ａは同島ホッパー２の下部に設けたメダル払出器で、島ホッパー２内のメダルを所定数払出できる。３は島ホッパー２のメダルを前記メダル払出器で払出されたメダルを受けて島Ｓの遊技機Ｐへ供給する供給コンベヤ、３ａは供給コンベヤ３のモータを用いた駆動部、４は遊技機Ｐで使用されたメダルを回収する回収コンベヤ、４ａは回収コンベヤのモータを用いた駆動部である。５はラインコンベヤ１の島ユニット内に設けられる取り込み器であって、５ａは常時はスプリング５ｇで持ち上げられたメダルを通過させ、電磁ソレノイド５ｃの通電で下方へ引き降されてラインコンベヤ１上のメダルを取り込むガイド板、５ａ１は同ガイド板の先端に設けたラインコンベヤの送りと斜交したメダルガイド面、５ｂは同ガイド板の枢支軸、５ｃはガイド板５ａを枢支軸５ｂまわりに回動させるための電磁ソレノイドであり、ガイド板５ａを持ち上げて開放するとメダルを通過させ、ガイド板５ａをラインコンベヤ１の面に接する位置まで下降させるとラインコンベヤ１で送られるメダルをガイド板５ａのメダルガイド面５ａ１によってコンベヤの外側へ取り込んで落下させて島ホッパー２へ送れるようになっている。５ｆは取り込み器５の下方の排出筒部、５ｇはスプリングである。６は第１メダルリフト、６ａは同第１メダルリフトの下部に設けたメダルの投入口、６ｂは無端垂直コンベヤ、６ｃは無端垂直コンベヤに一定間隔で取付けたメダル受羽根、６ｄはその上方吐出口、６ｄ１は上方吐出口６ｄに絡がった上方吐出路、６ｅは下方吐出口、６ｅ１は下方吐出口６ｅに絡がった下方吐出路、６ｆは第１メダルリフト６のケーシング、６ｇは無端垂直コンベヤ６ｂの回動軸、６ｈは同回動軸に軸着したラチェット、６ｉは同ラチェットと係合した逆転防止のつめ、６ｊは回動軸に軸着したチェーン車、６ｋは同チェーン車を回転させる駆動モータ、６ｌは駆動モータ６ｋの伝達チェーン、７は投入口６ａに設けた投入メダル受けホッパー、８は同投入メダル受けホッパー７に設けた投入メダルセンサー、９はラインコンベヤ１の終端から落下するメダルを受けてラインホッパー１２へ送る構造のラインシュート、９１は端末島ユニットＵＥのラインコンベヤ１の終端に設けたラインコンベヤ１の終端から落下するメダルを島ホッパー２へ落下させる落下シュート、１０は第１メダルリフトと同じ垂直コンベヤを用いたモータで駆動する第２メダルリフト、１０ａは第２メダルリフト１０のメダル投入口、１０ｂは第２メダルリフト１０の上方にあるメダル吐出部、１１は第２メダルリフト１０の下部のメダル投入口１０ａに連設した投入メダル受けホッパーであって、第１メダルリフト６と同様に所定枚数のメダル量を検出するメダルセンサー（図示せず）を有し、これでもって第２メダルリフト１０の駆動モータ（図示せず）を作動させている。１２は大量のメダルを貯えられるラインホッパー、１２ａはラインホッパー１２の下部に設けたコンベヤを用いた払出器、１２ｂは払出器１２ａのメダル落下口、１３は回転ブラシを用いた研磨機で、内部構造は省略している。１３ａは研磨機１３の研磨したメダルを投入メダル受けホッパー７へ送り出す排出シュートである。
【００２３】
図中、１４は供給コンベヤ３と回収コンベヤ４との間のメダルの遊技機Ｐ内を経て移動するメダル経路であり、又図１８（ｂ）の研磨機付島ユニットＵＫ内部の最外側にある２台のラインシュート１５は取り込み器５と同じ構造で、常時はラインコンベヤ１のメダルを通過させ、電磁ソレノイド５ｃの通電でガイド板５ａが下降して送られるメダルを全量取り込んでラインホッパー１２へ送り込むこともでき、右側の島ユニット群と左側の島ユニット群との間で交代的にメダルの回収・研磨・供給を行うことができるようになっている。
【００２４】
（実施例１の動作）
図１〜１７に示す実施例１は、３つの島Ｓの各端に左側から研磨機付島ユニットＵＫ，中間島ユニットＵＭ，右端に端末島ユニットＵＥを設け、それらを一本の正逆方向にメダル送り可能なラインコンベヤ１で連絡した例である。
【００２５】
空中ライントラブル時は、ラインコンベヤ１を停止させる。この停止状態でのメダルの流れを図１５に示している。
島ホッパー２内のメダルはその下部のメダル払出器２ａによって供給コンベヤ３へ送り出され、供給コンベヤ３に落下したメダルはモータを用いた駆動部３ａの作動によってメダルを各遊技機Ｐへ供給し、各遊技機Ｐで使用されたメダルは回収コンベヤ４によって回収される。供給コンベヤ３，遊技機Ｐ，回収コンベヤ４のメダルの移動路をメダル経路１４として示している。
【００２６】
研磨機付島ユニットＵＫの内部構造を図２に示している。回収コンベヤ４で回収されたメダルは、投入メダル受けホッパー１１で一時貯えられ、それらメダルをメダル投入口１０ａを介して送り込んで、第２メダルリフト１０によって持ち上げて上方のメダル吐出部１０ｂからラインホッパー１２へ落下させる。同ラインホッパー１２に貯えられたメダルは図９に示す払出器１２ａ（払出しコンベヤ使用）によって研磨機１３に送られる。同研磨機１３の回転ブラシ（図示せず）によってメダルは研磨・清掃されて、その排出シュート１３ａから排出されて下方の投入メダル受けホッパー７に受けられ一時貯えられる。それらメダルは投入口６ａから第１メダルリフト６に送られ、内部に設けられた無端垂直コンベヤ６ｂのメダル受羽根６ｃに載ってメダルは上方に持ち上げられる。第１メダルリフト６の構造及び投入メダルセンサー８及び投入メダル受けホッパー７の構造を図１０，１１，１２に示している。
【００２７】
第１メダルリフト６の無端垂直コンベヤ６ｂの逆転防止機能付きの駆動部を図１１に示している。無端垂直コンベヤ６ｂの回動軸６ｇを駆動モータ６ｋと伝達チェーン６ｌで回動させることで無端垂直コンベヤ６ｂを作動させているが、この回動軸６ｇにラチェット６ｈとつめ６ｉを取付けることでメダルの持ち上げ方向にのみ送るようにし、メダル重さ等で無端垂直コンベヤ６ｂが逆転しないようにしている。及び第１メダルリフト６を作動させない場合に逆転方向に動かないようにしている。この作動を図１１，１２，１３，１４に示している。
【００２８】
更に、第１メダルリフト６で持ち上げられたメダルは、上方吐出口６ｄ又は下方吐出口６ｅから吐出される。ラインコンベヤ１が停止している場合は上方吐出口６ｄから吐出されたメダルが上方吐出口６ｄからラインコンベヤ１までのメダル送り路途中がメダルで詰ってしまう。その時は、持ち上げられたメダルは下方吐出口６ｅから吐出される。
ラインコンベヤ１が正常にメダルを送っている場合は上方吐出口６ｄから吐出され、ラインコンベヤ１上に載置されて搬送される。この状態を図１３に示している。
そして、図１５はラインコンベヤ１は停止させている状態であるので、第１メダルリフト６のメダルは下方吐出口６ｅから吐出され、島ホッパー２へメダルは戻される。
【００２９】
常時第２メダルリフト１０が作動していて、回収されたメダルは持ち上げられ、ラインホッパー１２へ送られる。
このように、研磨機付島ユニットＵＫでは島ホッパー２，供給コンベヤ３，メダル経路１４，第２メダルリフト１０，ラインホッパー１２，研磨機１３，投入メダル受けホッパー７，第１メダルリフト６，下方吐出口６ｅ，島ホッパー２と循環し、メダルは遊技機Ｐに供給されるとともに、研磨機１３で研磨されている。
【００３０】
本実施例の他の島ユニットＵＭ，ＵＥでは、ラインコンベヤ１が停止時のメダルの流れは図１５に示すように島ホッパー２，払出器２ａ，供給コンベヤ３，メダル経路１４，第１メダルリフト６，下方吐出路６ｅ１，島ホッパー２と循環するように流れる。但し、島ユニットＵＭ，ＵＥではラインホッパー１２，研磨機１３がないので、遊技の為に島ホッパー２のメダルを循環させている。これが通常の遊技状態のメダル流れとなる。
【００３１】
次に、各島Ｓで使用しているメダルを清掃・研磨する場合は、図１６に示すようにラインコンベヤ１を研磨機付島ユニットＵＫの方へ送るようにする。島ユニットＵＭ，島ユニットＵＥでのメダルは第１メダルリフト６の上方吐出口６ｄから上方吐出路６ｄ１を経て、メダルはラインコンベヤ１上に置かれてラインコンベヤ１の送りでその上のメダルは全て研磨機付島ユニットＵＫへ送られる。このとき島ユニットＵＭ，ＵＫの取り込み器５のガイド板５ａを上方に持ち上げ状態にしてメダルを通過させている。ラインコンベヤ１で送られてきたベルト上のメダルは研磨機付島ユニットＵＫ内のベルト終端にあるラインシュート９へ全量落下して、ラインホッパー１２へ投入される。
【００３２】
中間島ユニットＵＭ，端末島ユニットＵＥの島ホッパー２には所要数のメダルを残し、循環させて島の遊技機Ｐの遊技を一定時間可能にすることもできる。
又は、補給中にリフトのセンサーにメダルがタッチしたら１５秒間回収に切り替える。各島ホッパー２の全メダルを研磨機付島ユニットＵＫのラインホッパー１２に集めることもできる。
【００３３】
常時回収で島ホッパーのメダルが少なくなった時、（センサーで検出）磨いたメダルを島ホッパーに補給する。ＵＫユニットも補給時メダルを磨いて、取り込み器から島ホッパーに送る（他ユニットと同じ）。
【００３４】
どれかのユニットの島ホッパーにメダルを補給する場合は、図１７のようにラインコンベヤ１を右方向に送る。ラインホッパー１２内のメダルは研磨機１３で研磨され、第１メダルリフト６によって持ち上げられ、上方吐出口６ｄ，上方吐出路６ｄ１からラインコンベヤ１に移載されて右方向に送られる。ラインコンベヤ１上のメダルは各島で取り込み器５が一定時間作動し、又は落下シュート９１によってラインコンベヤ１で流れてくるメダルを所定数量だけ島ホッパー２へ落下させる。各島Ｓの島ホッパー２に所定量のメダルが貯えられると、ラインコンベヤ１を停止する。
【００３５】
その後、島ホッパー２の払出器２ａを作動すると、図１５に示すように供給コンベヤ３，メダル経路１４，回収コンベヤ４，投入メダル受けホッパー７，下方吐出口６ｅ，下方吐出路６ｅ１，島ホッパー２とメダルは循環して、遊技できる状態となる。
【００３６】
このように、各島Ｓの島ホッパー２内のメダルを、遊技場の営業前、営業後及び営業中においてメダルを研磨を行うことで、メダルの汚れを除去して清潔なメダル遊技を可能とする。
【００３７】
尚、研磨機での研磨によってメダル表面の汗，汚れ，油脂，研磨粉，ゴミ，微粉の除去ばかりでなく、軽い除菌や油除去液による洗滌もすることもできる。
【００３８】
ラインコンベヤ１の作動，正逆送りの起動信号，第１メダルリフト６の作動信号，投入メダルセンサーの信号入力，供給コンベヤ３，回収コンベヤ４，メダル払出器２ａ，払出器１２ａ，取り込み器の電磁ソレノイド５ｃの作動等は、電気制御はコンピュータを用いた電気制御部ＣＯＮのコントローラーによって行って上記のメダルの流れを可能としている。ここで、メダル研磨する時間帯の決定等も行っている。
【００３９】
図１８（ａ）は本発明の他の実施例を示す説明図で、研磨機付島ユニットＵＫを最左に、中間に２台の中間島ユニットＵＭを、そして最右に端末島ユニットＵＥを配置した例で、島ユニットの構造・動作は実施例１と同様である。
又、図１８（ｂ）は研磨機付島ユニットＵＫを中間に配置した例である。左右側それぞれに中間島ユニットＵＭ，端末島ユニットＵＥを有している。研磨機付島ユニットＵＫにはラインシュート９相当の取り込み器５と同じ構造を有し、メダルの通過と通過するメダルの全量取り込みを可能にするラインシュート１５を研磨機付島ユニットＵＫ内の最左，最右に設け、右側の島のメダル回収・研磨メダル戻しの作業と、左側の島のメダル回収・研磨メダル戻しを左右交代的に行うようにした例である。他は、実施例１の同様な構造・作用効果のものである。
【産業上の利用可能性】
【００４０】
本発明は、メダルを用いた遊技機へのメダル補給と遊技機の交換の技術であるが、多数列べた入場券・交通費の切符の購入機、飲料ペットボトルの自動販売機、その他物品の自動販売機において払出される釣銭コインの補給装置と、これら販売機との間の補給の接続構造にも使用できる技術である。
【符号の説明】
【００４１】
Ｇ１，Ｇ２，Ｇ３    本発明の実施例１，実施例２，実施例３の遊技場におけるメダルの研磨移送設備
Ｓ    島
Ｐ    遊技機
Ｍ    メダル貸機
ＰＨ    遊技場
ＵＫ    研磨機付島ユニット
ＵＥ    端末島ユニット
ＵＭ    中間島ユニット
ＣＯＮ    電気制御部
１    ラインコンベヤ
１ａ    駆動モータ
１ｂ    回動軸
１ｃ    チェーン
１ｄ    ケーシング
２    島ホッパー
２ａ    メダル払出器
３    供給コンベヤ
３ａ    駆動部
４    回収コンベヤ
４ａ    駆動部
５    取り込み器
５ａ    ガイド板
５ａ１    メダルガイド面
５ｂ    枢支軸
５ｃ    電磁ソレノイド
５ｆ    排出筒部
５ｇ    スプリング
６    第１メダルリフト
６ａ    投入口
６ｂ    無端垂直コンベヤ
６ｃ    メダル受羽根
６ｄ    上方吐出口
６ｄ１    上方吐出路
６ｅ    下方吐出口
６ｅ１    下方吐出路
６ｆ    ケーシング
６ｇ    回動軸
６ｈ    ラチェット
６ｉ    つめ
６ｊ    チェーン車
６ｋ    駆動モータ
６ｌ    伝達チェーン
７    投入メダル受けホッパー
８    投入メダルセンサー
９    終端のラインシュート
９１    落下シュート
１０    第２メダルリフト
１０ａ    メダル投入口
１０ｂ    メダル吐出部
１１    第２メダルリフトの投入メダル受けホッパー
１２    ラインホッパー
１２ａ    払出器
１２ｂ    メダル落下口
１３    研磨機
１３ａ    排出シュート
１４    遊技機Ｐ内を経るメダル経路
１５    ラインシュート
ＪＵＫ    従来の研磨機付島ユニット
ＪＵＭ    従来の中間島ユニット
ＪＵＥ    従来の端末島ユニット
ＪＬ１    従来の供給用ラインコンベヤ
ＪＬ２    従来の回収用ラインコンベヤ
ＭＨ    遊技機内及びメダル貸機内のメダルホッパー
ＨＳ    補給シュート
【図１】
2019037314.tif 000003
【図２】
2019037314.tif 000004
【図３】
2019037314.tif 000005
【図４】
2019037314.tif 000006
【図５】
2019037314.tif 000007
【図６】
2019037314.tif 000008
【図７】
2019037314.tif 000009
【図８】
2019037314.tif 000010
【図９】
2019037314.tif 000011
【図１０】
2019037314.tif 000012
【図１１】
2019037314.tif 000013
【図１２】
2019037314.tif 000014
【図１３】
2019037314.tif 000015
【図１４】
2019037314.tif 000016
【図１５】
2019037314.tif 000017
【図１６】
2019037314.tif 000018
【図１７】
2019037314.tif 000019
【図１８】
2019037314.tif 000020
【図１９】
2019037314.tif 000021
【図２０】
2019037314.tif 000022
【図２１】
2019037314.tif 000023
【図２２】
2019037314.tif 000024
【図２３】
2019037314.tif 000025
【図２４】
2019037314.tif 000026
【図２５】
2019037314.tif 000027
【図２６】
2019037314.tif 000028
【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
メダルを使用する遊技機を複数台列設した島を、複数配置した遊技場におけるメダルの研磨移送設備であって、
前記した複数配置された島の各島にはメダルの移動を制御する島ユニットを各島の同じ側の島端に設け、同島ユニットの内部上方位置において正逆送りで両方向にメダルを移送できる一本のラインコンベヤの途中が前記島ユニットを貫通するように又は前記ラインコンベヤの終端が前記島ユニット内に位置するようにいずれかの形態で複数ある前記島ユニットを連通するように一本の前記ラインコンベヤを配置し、前記ラインコンベヤによって前記島ユニット間でメダル送り可能とし、
前記島ユニットには、同島ユニットを設けた島に属する遊技機へ供給するメダルを貯える島ホッパーと，同島ホッパーの下部に設けられて同島ホッパーに貯えられたメダルを払出す払出器と，同払出器から払い出されたメダルを前記島に属する遊技機へ送り出す供給コンベヤと，前記島に属する遊技機で使用されたメダルを回収する回収コンベヤと，メダル投入口を下部に有して上方へメダルを連続して持ち上げて前記ラインコンベヤ上に移載できる第１メダルリフトと，前記島ユニット内にある前記ラインコンベヤの途中で前記ラインコンベヤで送られてくるメダルから所定量のメダルを取り込んで前記島ホッパーへ送ること又は取り込まずそのままメダルを通過させることが切換的に行える取り込み器とを設け、
更に、複数ある前記島ユニットの少なくとも一台の島ユニットには、前記一台の島ユニットに設けた前記島ホッパーより容量が大きいメダルのラインホッパーと，同ラインホッパーから吐出されるメダルを研磨する研磨機と，同研磨機で研磨されたメダルを前記一台の島ユニットに設けた前記第１メダルリフトの下部に設けたメダル投入口の投入メダル受けホッパーへ送り出す排出シュートと，前記一台の島ユニットに設けた前記回収コンベヤから吐出される使用済みメダルを持ち上げて前記一台の島ユニットに設けた前記ラインホッパーへ送り込む第２メダルリフトと，更に前記ラインコンベヤで他の島ユニットから送られてくるメダルを前記一台の島ユニットに設けた前記第１メダルリフトから吐出されるメダルの前記ラインコンベヤへメダル移載する位置より前記一台の島ユニットに設けた前記取り込み器から遠い位置となる前記ラインコンベヤの位置で送られるメダル全量を前記ラインホッパーに直接送り込むラインシュートとを備えた構造とした研磨機付島ユニットとし、
残りの島ユニットでは残りの島ユニットに設けられた回収コンベヤから吐出される使用済みメダルを直接残りの島ユニットに設けられた前記第１メダルリフトの下部のメダル投入口へ移す構造とするとともに、更に残りの島ユニットで前記ラインコンベヤの終端を有する端末の島ユニットでは前記ラインコンベヤの終端に送られてくるメダルの全量を前記端末の島ユニットに設けた島ホッパーへ送るようにし、
前記ラインコンベヤ，供給コンベヤ，回収コンベヤ，払出器，取り込み器，第１メダルリフト，第２メダルリフト，研磨機の作動停止及び移動方向を制御する電気制御部とを有し、
前記各島ユニットで使用済みメダルを一本の前記ラインコンベヤで前記研磨機付島ユニットへ移動させて研磨した後メダルを他の島ユニットへ送って各島ユニットの使用するメダルが研磨したものを使用できることを特徴とする、遊技場におけるメダルの研磨移送設備。
【請求項２】
前記研磨機付島ユニットが前記ラインコンベヤの終端がある島に設けられ、前記研磨機付島ユニットにある前記ラインシュートは前記ラインコンベヤの終端から落下するメダルを受けて前記研磨機付島ユニットにあるラインホッパーへ誘導して投入するシュート管である、請求項１記載の遊技場におけるメダルの研磨移送設備。
【請求項３】
前記研磨機付島ユニットが複数ある島の中間の島に設けられ、前記研磨機付島ユニットに設けた前記ラインシュートは正逆両方向送れる前記ラインコンベヤの島ユニット内部の最外側となる２個所の位置に設けるとともに、前記ラインシュートは前記ラインコンベヤ上のメダルをそのまま通過させることも取り込んで前記研磨機付島ユニットにあるラインホッパーへ移動させることにも切換えられる構造のものである、請求項１記載の遊技場におけるメダルの研磨移送設備。
【請求項４】
前記島ユニットに設けた前記第１メダルリフトの上方から前記ラインコンベヤへメダルを吐出する前記上方吐出口の下方に別の下方吐出口を設け、同下方吐出口からのメダルを前記島ホッパーへ誘導する誘導路を設け、前記ラインコンベヤがメダルで詰って閉鎖状態又はラインコンベヤの送り停止時には前記第１メダルリフトのメダルを島ホッパーへ吐出してメダルが島で循環して遊技が続行できるようにした、請求項１〜３いずれか記載の遊技場におけるメダルの研磨移送設備。
【請求項５】
前記島ユニットにある前記第１メダルリフトが垂直な無端ベルトにメダル受けを所定間隔離して多数個設けた構造であり、前記無端ベルトを駆動するラチェットホイール逆転防止付の駆動軸をモータで駆動する構造である、請求項１〜４いずれか記載の遊技場におけるメダルの研磨移送設備。
【請求項６】
前記第１メダルリフトの前記メダル投入口へ移動させるメダルを一時貯える前記投入メダル受けホッパーに貯ったメダル量が所定量となったことを検知する投入メダルセンサーを設け、前記電気制御部で同投入メダルセンサーの所定量検知信号で前記第１メダルリフトを作動可能とするように制御する、請求項１〜５いずれか記載の遊技場におけるメダルの研磨移送設備。
【手続補正２】
【補正対象書類名】明細書
【補正対象項目名】００１０
【補正方法】変更
【補正の内容】
【００１０】
かかる課題を解決した本発明の構成は、
１）  メダルを使用する遊技機を複数台列設した島を、複数配置した遊技場におけるメダルの研磨移送設備であって、
前記した複数配置された島の各島にはメダルの移動を制御する島ユニットを各島の同じ側の島端に設け、同島ユニットの内部上方位置において正逆送りで両方向にメダルを移送できる一本のラインコンベヤの途中が前記島ユニットを貫通するように又は前記ラインコンベヤの終端が前記島ユニット内に位置するようにいずれかの形態で複数ある前記島ユニットを連通するように一本の前記ラインコンベヤを配置し、前記ラインコンベヤによって前記島ユニット間でメダル送り可能とし、
前記島ユニットには、同島ユニットを設けた島に属する遊技機へ供給するメダルを貯える島ホッパーと，同島ホッパーの下部に設けられて同島ホッパーに貯えられたメダルを払出す払出器と，同払出器から払い出されたメダルを前記島に属する遊技機へ送り出す供給コンベヤと，前記島に属する遊技機で使用されたメダルを回収する回収コンベヤと，メダル投入口を下部に有して上方へメダルを連続して持ち上げて前記ラインコンベヤ上に移載できる第１メダルリフトと，前記島ユニット内にある前記ラインコンベヤの途中で前記ラインコンベヤで送られてくるメダルから所定量のメダルを取り込んで前記島ホッパーへ送ること又は取り込まずそのままメダルを通過させることが切換的に行える取り込み器とを設け、
更に、複数ある前記島ユニットの少なくとも一台の島ユニットには、前記一台の島ユニットに設けた前記島ホッパーより容量が大きいメダルのラインホッパーと，同ラインホッパーから吐出されるメダルを研磨する研磨機と，同研磨機で研磨されたメダルを前記一台の島ユニットに設けた前記第１メダルリフトの下部に設けたメダル投入口の投入メダル受けホッパーへ送り出す排出シュートと，前記一台の島ユニットに設けた前記回収コンベヤから吐出される使用済みメダルを持ち上げて前記一台の島ユニットに設けた前記ラインホッパーへ送り込む第２メダルリフトと，更に前記ラインコンベヤで他の島ユニットから送られてくるメダルを前記一台の島ユニットに設けた前記第１メダルリフトから吐出されるメダルの前記ラインコンベヤへメダル移載する位置より前記一台の島ユニットに設けた前記取り込み器から遠い位置となる前記ラインコンベヤの位置で送られるメダル全量を前記ラインホッパーに直接送り込むラインシュートとを備えた構造とした研磨機付島ユニットとし、
残りの島ユニットでは残りの島ユニットに設けられた回収コンベヤから吐出される使用済みメダルを直接残りの島ユニットに設けられた前記第１メダルリフトの下部のメダル投入口へ移す構造とするとともに、更に残りの島ユニットで前記ラインコンベヤの終端を有する端末の島ユニットでは前記ラインコンベヤの終端に送られてくるメダルの全量を前記端末の島ユニットに設けた島ホッパーへ送るようにし、
前記ラインコンベヤ，供給コンベヤ，回収コンベヤ，払出器，取り込み器，第１メダルリフト，第２メダルリフト，研磨機の作動停止及び移動方向を制御する電気制御部とを有し、
前記各島ユニットで使用済みメダルを一本の前記ラインコンベヤで前記研磨機付島ユニットへ移動させて研磨した後メダルを他の島ユニットへ送って各島ユニットの使用するメダルが研磨したものを使用できることを特徴とする、遊技場におけるメダルの研磨移送設備
２）  前記研磨機付島ユニットが前記ラインコンベヤの終端がある島に設けられ、前記研磨機付島ユニットにある前記ラインシュートは前記ラインコンベヤの終端から落下するメダルを受けて前記研磨機付島ユニットにあるラインホッパーへ誘導して投入するシュート管である、前記１）記載の遊技場におけるメダルの研磨移送設備
３）  前記研磨機付島ユニットが複数ある島の中間の島に設けられ、前記研磨機付島ユニットに設けた前記ラインシュートは正逆両方向送れる前記ラインコンベヤの島ユニット内部の最外側となる２個所の位置に設けるとともに、前記ラインシュートは前記ラインコンベヤ上のメダルをそのまま通過させることも取り込んで前記研磨機付島ユニットにあるラインホッパーへ移動させることにも切換えられる構造のものである、前記１）記載の遊技場におけるメダルの研磨移送設備
４）  前記島ユニットに設けた前記第１メダルリフトの上方から前記ラインコンベヤへメダルを吐出する前記上方吐出口の下方に別の下方吐出口を設け、同下方吐出口からのメダルを前記島ホッパーへ誘導する誘導路を設け、前記ラインコンベヤがメダルで詰って閉鎖状態又はラインコンベヤの送り停止時には前記第１メダルリフトのメダルを島ホッパーへ吐出してメダルが島で循環して遊技が続行できるようにした、前記１）〜３）いずれか記載の遊技場におけるメダルの研磨移送設備
５）  前記島ユニットにある前記第１メダルリフトが垂直な無端ベルトにメダル受けを所定間隔離して多数個設けた構造であり、前記無端ベルトを駆動するラチェットホイール逆転防止付の駆動軸をモータで駆動する構造である、前記１）〜４）いずれか記載の遊技場におけるメダルの研磨移送設備
６）  前記第１メダルリフトの前記メダル投入口へ移動させるメダルを一時貯える前記投入メダル受けホッパーに貯ったメダル量が所定量となったことを検知する投入メダルセンサーを設け、前記電気制御部で同投入メダルセンサーの所定量検知信号で前記第１メダルリフトを作動可能とするように制御する、前記１）〜５）いずれか記載の遊技場におけるメダルの研磨移送設備
にある。
【手続補正３】
【補正対象書類名】明細書
【補正対象項目名】００２２
【補正方法】変更
【補正の内容】
【００２２】
更に、図中、１は複数の島Ｓの上部に架設した正逆両方向送り可能なラインコンベヤであって、外側はケーシング１ｄで封止されている。１ａは同ラインコンベヤ１の駆動モータ、１ｂはラインコンベヤ１のリターンローラの回動軸、１ｃは駆動モータ１ａの駆動力を伝達するチェーン、１ｄはラインコンベヤのケーシングである。２は島ユニットＵＫ・ＵＭ・ＵＥ内に設けた島ホッパー、２ａは同島ホッパー２の下部に設けたメダル払出器で、島ホッパー２内のメダルを所定数払出できる。３は島ホッパー２のメダルを前記メダル払出器で払出されたメダルを受けて島Ｓの遊技機Ｐへ供給する供給コンベヤ、３ａは供給コンベヤ３のモータを用いた駆動部、４は遊技機Ｐで使用されたメダルを回収する回収コンベヤ、４ａは回収コンベヤのモータを用いた駆動部である。５はラインコンベヤ１の島ユニット内に設けられる取り込み器であって、５ａは常時はスプリング５ｇで持ち上げられたメダルを通過させ、電磁ソレノイド５ｃの通電で下方へ引き降されてラインコンベヤ１上のメダルを取り込むガイド板、５ａ１は同ガイド板の先端に設けたラインコンベヤの送りと斜交したメダルガイド面、５ｂは同ガイド板の枢支軸、５ｃはガイド板５ａを枢支軸５ｂまわりに回動させるための電磁ソレノイドであり、ガイド板５ａを持ち上げて開放するとメダルを通過させ、ガイド板５ａをラインコンベヤ１の面に接する位置まで下降させるとラインコンベヤ１で送られるメダルをガイド板５ａのメダルガイド面５ａ１によってコンベヤの外側へ取り込んで落下させて島ホッパー２へ送れるようになっている。５ｆは取り込み器５の下方の排出筒部、５ｇはスプリングである。６は第１メダルリフト、６ａは同第１メダルリフトの下部に設けたメダル投入口、６ｂは無端垂直コンベヤ、６ｃは無端垂直コンベヤに一定間隔で取付けたメダル受羽根、６ｄはその上方吐出口、６ｄ１は上方吐出口６ｄに絡がった上方吐出路、６ｅは下方吐出口、６ｅ１は下方吐出口６ｅに絡がった下方吐出路、６ｆは第１メダルリフト６のケーシング、６ｇは無端垂直コンベヤ６ｂの回動軸、６ｈは同回動軸に軸着したラチェット、６ｉは同ラチェットと係合した逆転防止のつめ、６ｊは回動軸に軸着したチェーン車、６ｋは同チェーン車を回転させる駆動モータ、６ｌは駆動モータ６ｋの伝達チェーン、７は投入口６ａに設けた投入メダル受けホッパー、８は同投入メダル受けホッパー７に設けた投入メダルセンサー、９はラインコンベヤ１の終端から落下するメダルを受けてラインホッパー１２へ送る構造のラインシュート、９１は端末島ユニットＵＥのラインコンベヤ１の終端に設けたラインコンベヤ１の終端から落下するメダルを島ホッパー２へ落下させる落下シュート、１０は第１メダルリフトと同じ垂直コンベヤを用いたモータで駆動する第２メダルリフト、１０ａは第２メダルリフト１０のメダル投入口、１０ｂは第２メダルリフト１０の上方にあるメダル吐出部、１１は第２メダルリフト１０の下部のメダル投入口１０ａに連設した投入メダル受けホッパーであって、第１メダルリフト６と同様に所定枚数のメダル量を検出するメダルセンサー（図示せず）を有し、これでもって第２メダルリフト１０の駆動モータ（図示せず）を作動させている。１２は大量のメダルを貯えられるラインホッパー、１２ａはラインホッパー１２の下部に設けたコンベヤを用いた払出器、１２ｂは払出器１２ａのメダル落下口、１３は回転ブラシを用いた研磨機で、内部構造は省略している。１３ａは研磨機１３の研磨したメダルを投入メダル受けホッパー７へ送り出す排出シュートである。
【手続補正４】
【補正対象書類名】明細書
【補正対象項目名】００２６
【補正方法】変更
【補正の内容】
【００２６】
研磨機付島ユニットＵＫの内部構造を図２に示している。回収コンベヤ４で回収されたメダルは、投入メダル受けホッパー１１で一時貯えられ、それらメダルをメダル投入口１０ａを介して送り込んで、第２メダルリフト１０によって持ち上げて上方のメダル吐出部１０ｂからラインホッパー１２へ落下させる。同ラインホッパー１２に貯えられたメダルは図９に示す払出器１２ａ（払出しコンベヤ使用）によって研磨機１３に送られる。同研磨機１３の回転ブラシ（図示せず）によってメダルは研磨・清掃されて、その排出シュート１３ａから排出されて下方の投入メダル受けホッパー７に受けられ一時貯えられる。それらメダルはメダル投入口６ａから第１メダルリフト６に送られ、内部に設けられた無端垂直コンベヤ６ｂのメダル受羽根６ｃに載ってメダルは上方に持ち上げられる。第１メダルリフト６の構造及び投入メダルセンサー８及び投入メダル受けホッパー７の構造を図１０，１１，１２に示している。
【手続補正５】
【補正対象書類名】明細書
【補正対象項目名】００４１
【補正方法】変更
【補正の内容】
【００４１】
Ｇ１，Ｇ２，Ｇ３    本発明の実施例１，実施例２，実施例３の遊技場におけるメダルの研磨移送設備
Ｓ    島
Ｐ    遊技機
Ｍ    メダル貸機
ＰＨ    遊技場
ＵＫ    研磨機付島ユニット
ＵＥ    端末島ユニット
ＵＭ    中間島ユニット
ＣＯＮ    電気制御部
１    ラインコンベヤ
１ａ    駆動モータ
１ｂ    回動軸
１ｃ    チェーン
１ｄ    ケーシング
２    島ホッパー
２ａ    メダル払出器
３    供給コンベヤ
３ａ    駆動部
４    回収コンベヤ
４ａ    駆動部
５    取り込み器
５ａ    ガイド板
５ａ１    メダルガイド面
５ｂ    枢支軸
５ｃ    電磁ソレノイド
５ｆ    排出筒部
５ｇ    スプリング
６    第１メダルリフト
６ａ    メダル投入口
６ｂ    無端垂直コンベヤ
６ｃ    メダル受羽根
６ｄ    上方吐出口
６ｄ１    上方吐出路
６ｅ    下方吐出口
６ｅ１    下方吐出路
６ｆ    ケーシング
６ｇ    回動軸
６ｈ    ラチェット
６ｉ    つめ
６ｊ    チェーン車
６ｋ    駆動モータ
６ｌ    伝達チェーン
７    投入メダル受けホッパー
８    投入メダルセンサー
９    終端のラインシュート
９１    落下シュート
１０    第２メダルリフト
１０ａ    メダル投入口
１０ｂ    メダル吐出部
１１    第２メダルリフトの投入メダル受けホッパー
１２    ラインホッパー
１２ａ    払出器
１２ｂ    メダル落下口
１３    研磨機
１３ａ    排出シュート
１４    遊技機Ｐ内を経るメダル経路
１５    ラインシュート
ＪＵＫ    従来の研磨機付島ユニット
ＪＵＭ    従来の中間島ユニット
ＪＵＥ    従来の端末島ユニット
ＪＬ１    従来の供給用ラインコンベヤ
ＪＬ２    従来の回収用ラインコンベヤ
ＭＨ    遊技機内及びメダル貸機内のメダルホッパー
ＨＳ    補給シュート